(57)【要約】【課題】液晶テレビジョンにおいて、バックライトの蛍光管が３灯のものと４灯のものの双方に、共通のインバータ基板を使用できるようにする。【解決手段】インバータ基板１３０にインバータ回路のパターン９１ａ，９１ｂ，９１ｃ，９１ｄを並べて形成する。そして、蛍光管が３灯のときには中２つのパターン９１ｂ，９１ｃのいずれかひとつを除いてインバータ回路を形成するとともに、パターン９１ａ，９１ｂ，９１ｄにインバータ回路９３ａ，９３ｂ，９３ｄを形成して上から順に同一形状のランプハーネス１４２ａ，１４２ｂ，１４２ｃにてＵ字型蛍光管８２ａ，８２ｂ，８２ｃとそれぞれ接続する。【選択図】図７
2007140393.tif 000002
【特許請求の範囲】
【請求項１】
映像を画面を表示する液晶パネルと、
音声を出力するスピーカと、
横長に配置されたＵ字型蛍光管を備えて上記液晶パネルを背面から照射するバックライトと、
上記液晶表示パネルのビューエリアを前面にして上記液晶表示パネルとの間に上記バックライトを狭持しつつ背面側から覆う金属製のパネル筐体と、
テレビ放送を受信して映像を上記液晶パネルに表示させるとともに音声を上記スピーカにて出力させる主基板と、
上記主基板上に配置されるとともに商用電源が入力され、入力された電圧を各種電圧に変換して出力可能な電源回路と、
自励式インバータ回路のパターンが基板の長手方向に等間隔で４つ形成されるとともに、上記パネル筐体の背面側に一方の短辺に沿って上下方向に配向した縦長の自励式インバータ用基板と、
上記Ｕ字型蛍光管と上記自励式インバータ用基板とを接続するランプハーネスと、
上記パネル筐体と上記スピーカと上記主基板と上記ランプハーネスと上記自励式インバータ基板とを収容する樹脂製のキャビネットと
を備える液晶テレビジョンにおいて、
上記バックライトに上記Ｕ字型蛍光管を４灯使用するときは、上記Ｕ字型蛍光管は上下方向に等間隔に配置され、上記自励式インバータ用基板のパターンの全てに自励式インバータ回路が形成され、各Ｕ字型蛍光管と各自励式インバータ回路とが上記ランプハーネスにて接続され、
上記バックライトにＵ字型蛍光管を３灯使用するときは、上記Ｕ字型蛍光管は上下方向に等間隔に配置され、上記自励式インバータ用基板のパターンのうち中２つのいずれかひとつを除いて自励式インバータ回路が形成され、各Ｕ字型蛍光管と各自励式インバータ回路とが上記ランプハーネスにて接続されることを特徴とする液晶テレビジョン。
【請求項２】
Ｕ字型蛍光管が使用されるバックライトと、
上記Ｕ字型蛍光管を点灯するための自励式インバータ回路と、
上記Ｕ字型蛍光管と上記自励式インバータ回路とを接続するランプハーネスと、
上記インバータ回路を形成するためのパターンが、等間隔に並べて４つ形成された自励式インバータ用基板とを備え、
上記バックライトに上記Ｕ字型蛍光管が４本使用されるときは、上記パターンの全てに自励式インバータ回路が形成され、
上記バックライトに上記Ｕ字型蛍光管が３本使用されるときは、上記パターンのうち中２つのいずれかひとつを除いて自励式インバータ回路が形成されることを特徴とする液晶テレビジョン。
【請求項３】
上記バックライトユニットにおいて、上記Ｕ字型蛍光管は等間隔に並べて配置されることを特徴とする上記請求項２に記載の液晶テレビジョン。
【発明の詳細な説明】
【技術分野】
【０００１】
本発明は、自励式インバータ基板を備える液晶テレビジョンに関する。
【背景技術】
【０００２】
光源であるバックライトを液晶パネルの背面に設置し、背面から照射する透過型の液晶テレビジョンには、電源回路から供給される直流電圧を昇圧するとともに交流電圧に変換してバックライト供給するインバータ回路が必要になる。このとき、電流制御回路のない自励式インバータ回路においては、蛍光管とインバータ回路とを接続するハーネス長が、蛍光管に流れる管電流に大きく影響する。従って、バックライトに使用される蛍光管の数が異なる場合は、蛍光管とインバータ回路との位置を合わせるために専用のインバータ基板を用いていた。
【０００３】
特許文献１には、電源回路部とインバータ回路部とをプリント基板上に実装し、電源回路部とインバータ回路部とでプリント基板を２分割することについて開示されている。
【特許文献１】特開２０００−１５０１７６号
【発明の開示】
【発明が解決しようとする課題】
【０００４】
他励式インバータ回路には電流制御回路があるため、インバータ回路と蛍光管を接続するハーネス長さは管電流に影響しない。しかし、自励式インバータ回路は電流制御回路を備えないため、蛍光管とインバータ回路とを接続するハーネス長が蛍光管に流れる管電流に大きく影響し、管電流にばらつきを生じさせる。つまり、自励式インバータ回路では、ハーネス長さの不均一が蛍光管とランプハーネスによって決まるインピーダンスを変化させるため、回路の発振周波数特性に大きく影響する。
【０００５】
また、直下型バックライト方式の液晶ディスプレイに使用される蛍光管の数は、３本のものや４本のものなどがあるが、蛍光管の数が異なる場合は、蛍光管の位置に合わせてインバータ回路を形成した専用のインバータ基板が作成されてきた。しかしながら、蛍光管の数に合わせて専用の基板を作成すると、コストアップが避けられなかった。
【０００６】
本発明においては、管電流のばらつきを抑えつつ、インバータ基板及びハーネスを作成する上でコストダウンを図ることを目的とする。
【課題を解決するための手段】
【０００７】
上記目的を達成するために、本発明では、映映像を画面を表示する液晶パネルと、音声を出力するスピーカと、横長に配置されたＵ字型蛍光管を備えて上記液晶パネルを背面から照射するバックライトと、上記液晶表示パネルのビューエリアを前面にして上記液晶表示パネルとの間に上記バックライトを狭持しつつ背面側から覆う金属製のパネル筐体と、テレビ放送を受信して映像を上記液晶パネルに表示させるとともに音声を上記スピーカにて出力させる主基板と、上記主基板上に配置されるとともに商用電源が入力され、入力された電圧を各種電圧に変換して出力可能な電源回路と、自励式インバータ回路のパターンが基板の長手方向に等間隔で４つ形成されるとともに、上記パネル筐体の背面側に一方の短辺に沿って上下方向に配向した縦長の自励式インバータ用基板と、上記Ｕ字型蛍光管と上記自励式インバータ用基板とを接続するランプハーネスと、上記パネル筐体と上記スピーカと上記主基板と上記ランプハーネスと上記自励式インバータ基板とを収容する樹脂製のキャビネットとを備える液晶テレビジョンにおいて、上記バックライトに上記Ｕ字型蛍光管を４灯使用するときは、上記Ｕ字型蛍光管は上下方向に等間隔に配置され、上記自励式インバータ用基板のパターンの全てに自励式インバータ回路が形成され、各Ｕ字型蛍光管と各自励式インバータ回路とが上記ランプハーネスにて接続され、上記バックライトにＵ字型蛍光管を３灯使用するときは、上記Ｕ字型蛍光管は上下方向に等間隔に配置され、上記自励式インバータ用基板のパターンのうち中２つのいずれかひとつを除いて自励式インバータ回路が形成され、各Ｕ字型蛍光管と各自励式インバータ回路とが上記ランプハーネスにて接続される構成としてある。
【０００８】
また、上記目的を達成するために、請求項２に記載の液晶テレビジョンでは、Ｕ字型蛍光管が使用されるバックライトと、上記Ｕ字型蛍光管を点灯するための自励式インバータ回路と、上記Ｕ字型蛍光管と上記自励式インバータ回路とを接続するランプハーネスと、上記インバータ回路を形成するためのパターンが、等間隔に並べて４つ形成された自励式インバータ用基板とを備え、上記バックライトに上記Ｕ字型蛍光管が４本使用されるときは、上記パターンの全てに自励式インバータ回路が形成され、上記バックライトに上記Ｕ字型蛍光管が３本使用されるときは、上記パターンのうち中２つのいずれかひとつを除いて自励式インバータ回路が形成される構成としてある。
【０００９】
つまり、自励式インバータ用基板には、上記Ｕ字型蛍光管を点灯させる上記自励式インバータ回路を形成するためのパターンが等間隔に並べて４つ形成される。そして、上記バックライトに上記Ｕ字型蛍光管が４本使用されるときは、上記パターンの全てに自励式インバータ回路が形成され、上記バックライトに上記Ｕ字型蛍光管が３本使用されるときは、上記パターンのうち、中２つのいずれかひとつを除いて上記Ｕ字型蛍光管を点灯するための自励式インバータ回路が形成され、上記Ｕ字型蛍光管と上記自励式インバータ回路とを上記ランプハーネスが接続する。
【発明の効果】
【００１０】
以上説明したように、本発明の請求項１および請求項２よれば、Ｕ字型蛍光管とインバータ回路との距離が、上端もしくは下端のパターンを不使用とするのに比べて均等になる。これにより、ランプハーネスの長さを統一でき、ハーネス長不均等による管電流のばらつきが抑えられる。また、Ｕ字型蛍光管とインバータ回路のハーネス長均等により、自励式インバータの発振周波数特性に大きく起因するランプハーネスのインピーダンスが共通化でき、インバータ回路自体の安定性を向上させることができる。さらに、ハーネスの長さを統一できるため、同一のハーネスを用いることができコストを抑えることができる。そして、Ｕ字型蛍光管が３灯のものと４灯のものとに同一のインバータ基板を使用できるため、基板金型を共通化することができ、コストダウンを図れる。
【００１１】
また請求項３にかかる発明によれば、Ｕ字型蛍光管が等間隔に配置されるため、液晶表示パネルの明るさにムラが無くなる。
【発明を実施するための最良の形態】
【００１２】
以下、下記の順序に従って本発明の実施形態を説明する。
（１）テレビジョンの構成：
（２）インバータ基板とバックライトの構造：
（３）まとめ：
【００１３】
（１）テレビジョンの構成：
以下、本考案の一実施形態にかかるテレビジョンについて説明する。図１は、テレビジョンを斜め前方より見た斜視図である。同図において、テレビジョン１０は、キャビネット１２と映像を画面に表示する平坦な表示面を前面に向けた液晶表示パネル１４と脚部１６とから構成されている。キャビネット１２は、樹脂製であり、液晶表示パネル１４をその表示面が前面側に露出するように保持しており、キャビネット内部に音声を出力するスピーカ（不図示）が設置されている。脚部１６は、キャビネット１２を支持しており、それにより液晶表示パネル１４の表示面が略鉛直に配向させられている。
【００１４】
図２にテレビジョン１０のキャビネット１２背部を取り外した斜視図を示す。キャビネット１２前部の収容部には、概略、パネル筐体２５と、主基板１２０と、インバータ基板１３０と、ランプハーネス１４０とが収容されている。パネル筐体２５には、液晶表示パネル３０と図示されていないバックライト９０とが収容され、キャビネット１２の前部の背面から取り付けられている。パネル筐体２５の背面には主基板１２０とインバータ基板とが取り付けられている。インバータ基板１３０は縦長の略矩形であり、パネル筐体２５の背面側に一方の短辺に沿って上下方向に配向して取り付けられる。
【００１５】
主基板１２０とインバータ基板１３０とはケーブルにより接続され、主基板１２０からインバータ基板１３０へ電源を供給するとともに、制御信号の入出力を可能としている。またインバータ基板１３０とバックライト９０とは、ランプハーネス１４０で接続され、インバータ基板１３０にて直流電圧を交流電圧に変換するとともに昇圧された電圧がバックライト９０に供給される。
【００１６】
図３は、本発明の実施形態にかかるテレビジョン１０の概略構成をブロック図により示している。テレビジョン１０は、概略、アンテナ５５の接続されたチューナ回路５０と、画像データ生成回路６０と、パネル駆動回路７０と、液晶表示パネル３０と、電源回路１００と、マイコン１１０と、インバータ回路９０と、バックライト８０とからなる。上記構成においてマイコン１１０は、テレビジョン１０を構成する各部と電気的に接続しており、マイコン１１０内部の構成部品としてのＣＰＵが、同じくマイコン１１０内の構成部品であるＲＯＭやＲＡＭなどに書き込まれた各プログラムに従って、テレビジョン１０全体を制御する。
【００１７】
チューナ回路５０は、マイコン１１０の制御によりアンテナ５５よりテレビ放送を受信し、所定の信号増幅処理等を行いつつ、テレビジョン放送信号から中間周波信号としての映像信号を抽出し、画像データ生成回路６０へ出力する。画像データ生成回路６０は、入力された映像信号をその信号レベルに応じてデジタル信号化するとともに、映像信号から抽出した輝度信号と色差信号とに基づいてマトリクス変換処理を行ない、画像データとしてのＲＧＢ（レッド、グリーン、ブルー）信号を生成する。
【００１８】
パネル駆動回路７０では、画像データ生成回路６０から上記ＲＧＢ信号を入力されると、ＲＧＢ信号に対して液晶表示パネル３０の画素数（横縦比、ｍ：ｎ）に合わせたスケーリング処理を行い、液晶表示パネル３０に表示する１画面分の画像データを生成する。そして、このように生成された画像データを液晶表示パネル３０に出力することにより、液晶表示パネル３０に画像データに基づく画像表示をさせる。
【００１９】
電源回路１００は、外部の商用電源等から電源電圧（交流）の供給を受けるとともに、同供給された電源電圧を、マイコン１１０を始めインバータ回路９０等、各回路へ供給する。電源回路１００は、必要に応じて各回路へ供給する電圧を交流から直流へと変換する。
インバータ回路９０は、電源回路１００から供給された直流電圧を交流電圧に変換するとともに昇圧し、駆動信号としての当該交流電圧をバックライト８０に供給し、バックライト８０を点灯させる。バックライト８０は、パネル筐体２５と液晶表示パネル３０とに挟持され、Ｕ字型蛍光管を光源として、液晶表示パネル３０を背面から照射する。
ここで、主基板には、概略、チューナ回路５０と、画像データ生成回路６０と、パネル駆動回路７０と、電源回路１００と、マイコン１１０とが搭載されるものとする。
【００２０】
（２）インバータ基板とバックライトの構造：
図４はバックライト８０の構造を示す模式図である。同図において、バックライト８０はパネル筐体２５の内部に反射板が敷かれ、反射板の上に複数本の蛍光管がセットされ、その上に調光板と光拡散板が設置されている。蛍光管としては、Ｕ字型蛍光管８１が３本示してある。各Ｕ字型蛍光管の電極にはインバータ基板１３０に接続されたランプハーネス１４０が接続され、インバータ基板１３０より昇圧された交流電圧が供給される。
【００２１】
図５にインバータ基板１３０の平面図を示した。同図において、長方形のインバータ基板の左端中央部に、主基板１２０と接続されるケーブルを接続するためのメスコネクタが取り付けられている。そしてインバータ回路のパターンが、インバータ基板１３０の長手方向に等間隔に４つ、パターン９１ａ，９１ｂ，９１ｃ，９１ｄの順に形成されている。図５においては、形成された４つのバターンのうち中二つの下側のものであるパターン９１ｂを除いた、パターン９１ａ，９１ｂ，９１ｄにインバータトランスを含む電子部品が実装される。
【００２２】
さらに、それぞれのインバータ回路と蛍光管とを接続するランプハーネス１４０が接続されるランプハーネス用ジャックが、インバータ回路それぞれのパターン位置に合わせてインバータ基板１３０の右端に取り付けられている。むろん、パターン９１ｂにはインバータ回路が実装されていないので、パターン９２に対応する位置にはランプハーネス用ジャックは取り付けられていない。
【００２３】
図６および図７にインバータ基板１３０とバックライト８０におけるＵ字型蛍光管の位置関係を表す模式図を示した。図６はバックライト８０に４本のＵ字型蛍光管８１ａ，８１ｂ，８１ｃ，８１ｄが使用されているときの図であり、図７はバックライト８０に３本のＵ字型蛍光管８２ａ，８２ｂ，８２ｃが使用されているときの図である。図６および図７のインバータ基板は同一の配線パターンが形成されたプリント基板であり、４つのインバータ回路のパターン９１ａ，９１ｂ，９１ｃ，９１ｄが長手方向に等間隔に並べて形成されている。図６のインバータ基板では、形成された４つのパターンの全てに電子部品が実装されている。一方、図７のインバータ基板では、形成された４つのバターンのうちパターン９１ａ，９１ｂ，９１ｄに電子部品が実装され、中２つのうち下側のパターン９１ｃは使用されていない。
【００２４】
図６において、Ｕ字型蛍光管は箱状に形成されたパネル筐体２５の内部に横長に配置され、各Ｕ字型蛍光管が上下方向に等間隔となるように配置されている。そして上下方向の位置が最近接するＵ字型蛍光管とインバータ回路とがランプハーネスにて１対１接続される。従って、図６において、インバータ回路９２ａ，９２ｂ，９２ｃ，９２ｄは、Ｕ字型蛍光管８１ａ，８１ｂ，８１ｃ，８１ｄと、ランプハーネス１４１ａ，１４１ｂ，１４１ｃ，１４１ｄにてそれぞれ接続される。このとき、インバータ回路とＵ字型蛍光管との各接続距離はほぼ等しく、ランプハーネス１４１ａ，１４１ｂ，１４１ｃ，１４１ｄは同一形状のものが使用可能となる。
【００２５】
一方、図７においても、３本のＵ字型蛍光管８２ａ，８２ｂ，８２ｃが上下方向に等間隔となるように配置されている。従って、図７のように、インバータ回路９３ａ，９３ｂ，９３ｄは、Ｕ字型蛍光管８２ａ，８２ｂ，８２ｃと、ランプハーネス１４２ａ，１４２ｂ，１４２ｃにてそれぞれ接続される。しかし、３本のＵ字型蛍光管に対しインバータ基板１３０の配線パターンは４つであり、かつ、Ｕ字型蛍光管とインバータ回路とがそれぞれに上下方向に等間隔に配置されているため、上下方向の位置にずれが生じる。
【００２６】
つまり、インバータ回路９３ａとＵ字型蛍光管８２ａ、およびインバータ回路９３ｄとＵ字型蛍光管８２ｃとの距離は等しくなるが、インバータ回路９３ｂとＵ字型蛍光管８２ｂとの距離は前２者に比してやや長くなる。ただし、その差は僅かで、４本のＵ字型蛍光管を使用したときと同様、それぞれを接続するランプハーネスには同一形状のものを用いることが出来る。
【００２７】
図７においては、インバータ回路の４つのパターンのうちパターン９１ｂにインバータ回路９３ｂを実装してパターン９１ｃを使用せずにインバータ回路９３ａとＵ字型蛍光管８２ｂと接続する構成としたが、むろん、パターン９１ｃにインバータ回路を実装してパターン９１ｂを使用せずにパターン９１ｃにインバータ回路とＵ字型蛍光管８２ｂをランプハーネスで接続する構成としても同じことで、やはり同一形状のランプハーネスを用いることが出来る。
【００２８】
これに対し、インバータ回路の４つのパターンのうち上端もしくは下端を使用しない構成にすると、同一形状のランプハーネスを用いることが難しくなる。図８に下端のパターンを使用しないときのインバータ基板１３０とＵ字型蛍光管の位置関係を図示した。本発明においては、インバータ基板１３０に形成される４つのインバータ回路のパターンのうち、このように下端もしくは上端のパターンを使用しない構成は採用しないものとする。
同図では、４つのインバータ回路パターンのうち、パターン９１ａ，９１ｂ，９１ｃにそれぞれインバータ回路９４ａ，９４ｂ，９４ｃを形成してあり、蛍光管８３ａ，８３ｂ，８３ｃがパネル筐体２５内に等間隔に配置されている。そして、インバータ回路９４ａはランプハーネス１４３ａにてＵ字型蛍光管８３ａと，インバータ回路９４ｂはランプハーネス１４３ｂにてＵ字型蛍光管８３ｂと，インバータ回路９４ｃはランプハーネス１４３ｃにてＵ字型蛍光管８３ｃと、それぞれ接続されている。このとき、液晶パネルのサイズにもよるが、ランプハーネス１４３ａとランプハーネス１４３ｃとの長さの差は１ｃｍ程であり、管電流が１ｍＡ程異なってくるため、各Ｕ字型蛍光管の明るさに差が生じる。
【００２９】
（３）まとめ：
つまり、インバータ基板１３０にインバータ回路のパターン９１ａ，９１ｂ，９１ｃ，９１ｄを並べて形成する。そして、蛍光管が３灯のときには中２つのパターン９１ｂ，９１ｃのいずれかひとつを除いてインバータ回路を形成するとともに、パターン９１ａ，９１ｂ，９１ｄにインバータ回路９３ａ，９３ｂ，９３ｄを形成して上から順に同一形状のランプハーネス１４２ａ，１４２ｂ，１４２ｃにてＵ字型蛍光管８２ａ，８２ｂ，８２ｃとそれぞれ接続する。
【００３０】
以上説明したように、本実施例に対応する請求項２にかかる液晶テレビジョンでは、Ｕ字型蛍光管が使用されるバックライトと、上記Ｕ字型蛍光管を点灯するための自励式インバータ回路と、上記Ｕ字型蛍光管と上記自励式インバータ回路とを接続するランプハーネスと、上記インバータ回路を形成するためのパターンが、等間隔に並べて４つ形成された自励式インバータ用基板とを備え、上記バックライトに上記Ｕ字型蛍光管が４本使用されるときは、上記自励式インバータ用基板のパターンの全てに自励式インバータ回路が形成され、上記バックライトに上記Ｕ字型蛍光管が３本使用されるときは、上記パターンのうち中２つのいずれかひとつを除いて自励式インバータ回路が形成される構成としてある。
【００３１】
つまり、自励式インバータ用基板には、上記Ｕ字型蛍光管を点灯させる上記自励式インバータ回路を形成するためのパターンが等間隔に並べて４つ形成される。そして、上記バックライトに上記Ｕ字型蛍光管が４本使用されるときは、上記パターンの全てに自励式インバータ回路が形成され、上記バックライトに上記Ｕ字型蛍光管が３本使用されるときは、上記パターンのうち、中２つのいずれかひとつを除いて上記Ｕ字型蛍光管を点灯するための自励式インバータ回路が形成され、上記Ｕ字型蛍光管と上記自励式インバータ回路とを上記ランプハーネスが接続する。
【００３２】
上記のように構成した請求項２に記載の発明においては、Ｕ字型蛍光管とインバータ回路との距離が、上端もしくは下端のパターンを不使用とするのに比べて均等になる。これにより、ランプハーネスの長さを統一でき、ハーネス長不均等による管電流のばらつきが抑えられる。また、Ｕ字型蛍光管とインバータ回路のハーネス長均等により、自励式インバータの発振周波数特性に大きく起因するランプハーネスのインピーダンスが共通化でき、インバータ回路自体の安定性を向上させることができる。さらに、ハーネスの長さを統一できるため、同一のハーネスを用いることができコストを抑えることができる。そして、Ｕ字型蛍光管が３灯のものと４灯のものとに同一のインバータ基板を使用できるため、基板金型を共通化することができ、コストダウンを図れる。
【００３３】
また請求項３では、上記請求項２に記載の液晶テレビジョンにおいて、上記バックライトユニットにおいて、上記Ｕ字型蛍光管は等間隔に並べて配置される。
上記のように構成した請求項３に記載の発明においては、Ｕ字型蛍光管が等間隔に配置されるため、液晶表示パネルの明るさにムラが無くなる。
【００３４】
以上の構成を踏まえた上で、請求項１の発明は、映映像を画面を表示する液晶パネルと、音声を出力するスピーカと、横長に配置されたＵ字型蛍光管を備えて上記液晶パネルを背面から照射するバックライトと、上記液晶表示パネルのビューエリアを前面にして上記液晶表示パネルとの間に上記バックライトを狭持しつつ背面側から覆う金属製のパネル筐体と、テレビ放送を受信して映像を上記液晶パネルに表示させるとともに音声を上記スピーカにて出力させる主基板と、上記主基板上に配置されるとともに商用電源が入力され、入力された電圧を各種電圧に変換して出力可能な電源回路と、自励式インバータ回路のパターンが基板の長手方向に等間隔で４つ形成されるとともに、上記パネル筐体の背面側に一方の短辺に沿って上下方向に配向した縦長の自励式インバータ用基板と、上記Ｕ字型蛍光管と上記自励式インバータ用基板とを接続するランプハーネスと、上記パネル筐体と上記スピーカと上記主基板と上記ランプハーネスと上記自励式インバータ基板とを収容する樹脂製のキャビネットとを備える液晶テレビジョンにおいて、上記バックライトに上記Ｕ字型蛍光管を４灯使用するときは、上記Ｕ字型蛍光管は上下方向に等間隔に配置され、上記自励式インバータ用基板のパターンの全てに自励式インバータ回路が形成され、各Ｕ字型蛍光管と各自励式インバータ回路とが上記ランプハーネスにて接続され、上記バックライトにＵ字型蛍光管を３灯使用するときは、上記Ｕ字型蛍光管は上下方向に等間隔に配置され、上記自励式インバータ用基板のパターンのうち中２つのいずれかひとつを除いて自励式インバータ回路が形成され、各Ｕ字型蛍光管と各自励式インバータ回路とが上記ランプハーネスにて接続される構成としてある。
【００３５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３６】
【図１】液晶テレビジョンの斜視図である。
【図２】液晶テレビジョンのキャビネット背部を取り外した斜視図である。
【図３】液晶テレビジョンの概略ブロック図である。
【図４】バックライトの構造を示す模式図である。
【図５】インバータ基板の平面図である。
【図６】インバータ基板と４灯式バックライトにおけるＵ字型蛍光管との位置関係を表す模式図である。
【図７】インバータ基板と３灯式バックライトにおけるＵ字型蛍光管との位置関係を表す模式図である。
【図８】インバータ基板と３灯式バックライトにおけるＵ字型蛍光管との位置関係として採用されない位置関係を表す模式図である。
【符号の説明】
【００３７】
１０…液晶テレビジョン
２０…キャビネット
３０…液晶表示パネル
４０…脚部
２５…パネル筐体
５０…チューナ回路
５５…アンテナ
６０…画像データ生成回路
７０…パネル駆動回路
８０…バックライト
８１…Ｕ字型蛍光管
９０…インバータ回路
１００…電源回路
１１０…マイコン
１２０…主基板
１３０…インバータ基板
１４０…ランプハーネス
９１ａ〜９１ｄ…パターン
９２ａ〜９２ｄ…インバータ回路
９３ａ〜９３ｃ…インバータ回路
９４ａ〜９４ｃ…インバータ回路
８１ａ〜８１ｄ…Ｕ字型蛍光管
８２ａ〜８２ｃ…Ｕ字型蛍光管
８３ａ〜８３ｃ…Ｕ字型蛍光管
１４１ａ〜１４１ｄ…ランプハーネス
１４２ａ〜１４２ｃ…ランプハーネス
１４３ａ〜１４３ｃ…ランプハーネス
【図１】
2007140393.tif 000003
【図２】
2007140393.tif 000004
【図３】
2007140393.tif 000005
【図４】
2007140393.tif 000006
【図５】
2007140393.tif 000007
【図６】
2007140393.tif 000008
【図７】
2007140393.tif 000009
【図８】
2007140393.tif 000010